(57)【要約】【課題】スライド式スイッチを用いずに複数の照明器具を制御することが可能な照明用リモコン送信器を提供すること。【解決手段】複数の照明器具の動作を始動させるための操作ボタンが設けられた照明用リモコン送信器であって、複数の照明器具のそれぞれに対応する複数のチャンネルごとに複数の制御信号を含むデータを格納する記憶部と、角速度または加速度を検出し、検出した角速度または加速度に基づいた信号を出力するセンサと、記憶部に格納されているデータによる制御信号を出力する送信部と、センサの検出状態に応じてチャンネルを決定し、決定したチャンネルに対して格納されているデータによる制御信号を前記送信部より出力させる制御部と、を有する。【選択図】図１
2008078999.tif 000002
【特許請求の範囲】
【請求項１】
複数の照明器具の動作を始動させるための操作ボタンが設けられた照明用リモコン送信器であって、
前記複数の照明器具のそれぞれに対応する複数のチャンネルごとに複数の制御信号を含むデータを格納する記憶部と、
角速度または加速度を検出し、該検出した角速度または加速度に基づいた信号を出力するセンサと、
前記記憶部に格納されているデータによる制御信号を出力する送信部と、
前記センサの検出状態に応じてチャンネルを決定し、該決定したチャンネルに対して格納されているデータによる制御信号を前記送信部より出力させる制御部と、
を有する照明用リモコン送信器。
【請求項２】
請求項１に記載の照明用リモコン送信器において、
前記チャンネルは、第１のチャンネルと第２のチャンネルからなり、
前記制御部は、
角速度または加速度が前記センサにおいて検出されない場合、もしくは前記センサから出力される前記信号が所定の値よりも小さな場合は前記第１のチャンネル、前記信号が所定の値よりも大きな場合は前記第２のチャンネルにそれぞれ決定し、決定したチャンネルが前記第２のチャンネルの場合、前記送信部から前記制御信号を出力させた後に設定するチャンネルを前記第１のチャンネルに変更することを特徴とする照明用リモコン送信器。
【請求項３】
請求項１に記載の照明用リモコン送信器において、
前記制御部は、
角速度または加速度が前記センサにおいて検出された回数に応じてチャンネルを決定することを特徴とする照明用リモコン送信器。
【請求項４】
第1および第2の照明器具の動作を始動させるための操作ボタンが設けられた照明用リモコン送信器であって、
前記第1および第2の照明器具のそれぞれに対応する第1および第2のチャンネルごとに複数の制御信号を含むデータを格納する記憶部と、
角速度を検出し、該検出した角速度または加速度に基づいた信号を出力する角速度センサと、
前記記憶部に格納されているデータによる制御信号を出力する送信部と、
前記角速度センサが右回りの回転を検出すると前記第１のチャンネル、左回りの回転を検出すると前記第２のチャンネルを用いるものと決定し、該決定したチャンネルに対して格納されているデータによる制御信号を前記送信部より出力させる制御部と、を有することを特徴とする照明用リモコン送信器。
【発明の詳細な説明】
【技術分野】
【０００１】
本発明は、リモコンによって制御できる照明器具に制御信号を送信する照明用リモコン送信器に関する。
【背景技術】
【０００２】
従来、照明用リモコン送信器には複数の照明器具を制御するために、例えば特許文献１に記載されているようなスライド式チャンネル切り替えスイッチが設けられたものがある。
【０００３】
図２は、従来の照明用リモコン送信器の一構成例を示すブロック図である。
【０００４】
図２に示すように、従来の照明用リモコン送信器は、制御する照明器具を選択するためのチャンネル切り替えスイッチ１と、照明器具の動作を始動させるための操作ボタン２と、チャンネル切り替えスイッチ１で設定されたチャンネルに対応した制御信号を出力する制御部３と、制御部３から出力される制御信号を照明器具に送信するための送信部４と、照明器具に対応するチャンネルごとに制御信号を含むデータを格納するための記憶部５とを有する。また、制御部３に電源を供給するための電池（不図示）を備えている。
【０００５】
なお、ここではチャンネルは２つあり、一方をチャンネル１、他方をチャンネル２とする。
【０００６】
操作ボタン２を押すことで始動する照明器具の動作には、例えば、点灯、消灯、または調光などが含まれる。
【０００７】
チャンネル切り替えスイッチ１において、例えば、チャンネルがチャンネル１またはチャンネル２のいずれか一方に設定された状態で操作ボタン２が押されると、設定されたチャンネルに対して格納されている照明器具の動作内容を示す制御信号が制御部３より出力される。そして、制御信号を送信部３から出力させる。
【０００８】
そして、チャンネル切り替えスイッチ１で設定されたチャンネルに対応する照明器具がその制御信号を受信すると、動作を実行する。
【特許文献１】特許第３１６４１５８号公報
【発明の開示】
【発明が解決しようとする課題】
【０００９】
複数の照明器具を制御する際にスライド式スイッチが用いられると、以下に記載するような問題が起こり得る。
【００１０】
スライド式スイッチは、通常はんだによって接合されており、チャンネル切り替え操作の際にはんだ接合部に許容値以上の応力が加えられたり、許容された期間を越えて使用されたりすると、はんだクラックが発生し、そのためチャンネルの切り替えを行うことができないという問題が起こり得る。
【００１１】
また、スライド式スイッチは、配置される位置に関して高精度が必要とされ、設計で許容された場所に実装されないと、リモコン送信器の筐体に接触してスライド操作を行うことができないという問題が起こり得る。
【００１２】
本発明は、上述したような問題を解決するためになされたものであり、スライド式スイッチを用いずに複数の照明器具を制御することが可能な照明用リモコン送信器を提供することを目的とする。
【課題を解決するための手段】
【００１３】
上記目的を達成するために本発明の照明用リモコン送信器は、
複数の照明器具の動作を始動させるための操作ボタンが設けられた照明用リモコン送信器であって、
前記複数の照明器具のそれぞれに対応する複数のチャンネルごとに複数の制御信号を含むデータを格納する記憶部と、
角速度または加速度を検出し、該検出した角速度または加速度に基づいた信号を出力するセンサと、
前記記憶部に格納されているデータによる制御信号を出力する送信部と、
前記センサの検出状態に応じてチャンネルを決定し、該決定したチャンネルに対して格納されているデータによる制御信号を前記送信部より出力させる制御部と、
を有する。
【００１４】
また、前記チャンネルは、第１のチャンネルと第２のチャンネルからなり、
前記制御部は、
角速度または加速度が前記センサにおいて検出されない場合、もしくは前記センサから出力される前記信号が所定の値よりも小さな場合は前記第１のチャンネル、前記信号が所定の値よりも大きな場合は前記第２のチャンネルにそれぞれ決定し、決定したチャンネルが前記第２のチャンネルの場合、前記送信部から前記制御信号を出力させた後に設定するチャンネルを前記第１のチャンネルに変更することとしてもよい。
【００１５】
また、前記制御部は、
角速度または加速度が前記センサにおいて検出された回数に応じてチャンネルを決定することとしてもよい。
【００１６】
また、第1および第2の照明器具の動作を始動させるための操作ボタンが設けられた照明用リモコン送信器であって、
前記第1および第2の照明器具のそれぞれに対応する第1および第2のチャンネルごとに複数の制御信号を含むデータを格納する記憶部と、
角速度を検出し、該検出した角速度または加速度に基づいた信号を出力する角速度センサと、
前記記憶部に格納されているデータによる制御信号を出力する送信部と、
前記角速度センサが右回りの回転を検出すると前記第１のチャンネル、左回りの回転を検出すると前記第２のチャンネルを用いるものと決定し、該決定したチャンネルに対して格納されているデータによる制御信号を前記送信部より出力させる制御部と、を有することとしてもよい。
【００１７】
本発明によれば、複数の照明器具に対応する複数のチャンネルごとに複数の制御信号を含むデータがあらかじめ記憶されており、角速度または加速度の検出状態に応じてチャンネルを決定し、決定したチャンネルに対応して格納されているデータによる制御信号を送信部から出力させる。
【発明の効果】
【００１８】
角速度や加速度の検出状態によってデータから読み出すチャンネルを決定するため、スライド操作を必要とするスイッチを用いずに複数の照明器具を制御することが可能となる。ユーザは、リモコン送信器を回したり振ったりしてチャンネルを変えることで、複数の照明器具をそれぞれ制御できるようになる。
【発明を実施するための最良の形態】
【００１９】
本実施形態の照明用リモコン送信器の構成を説明する。
【００２０】
図１は、本実施例の照明用リモコン送信器の一構成例を示すブロック図である。
【００２１】
図１に示すように、本実施例の照明用リモコン送信器は、回転を検知する角速度センサ６と、照明器具の動作を始動させるための操作ボタン７と、角速度センサ６の検出内容に基づいてチャンネルを特定し、チャンネルおよび照明器具の動作内容を示す制御信号を出力する制御部８と、制御部８から出力される制御信号を照明器具に送信するための送信部９と、照明器具に対応するチャンネルごとに制御信号を含むデータを格納するための記憶部１０とを有する。また、制御部８に電源を供給するための電池（不図示）を備えている。
【００２２】
なお、ここではチャンネルは２つあり、一方をチャンネル１、他方をチャンネル２とする。
【００２３】
操作ボタン７は、リモコン送信器の筐体の一面に設けられている。なお、構成については、従来のリモコン送信器に具備されている操作ボタンと同様なため、ここでは、その詳細な説明を省略する。
【００２４】
角速度センサ６は、リモコン送信器に回転が与えられると角速度を検出し、角速度に基づいた信号を制御部８へ出力する。なお、回転を検知して角速度に基づいた信号を検出するためには、例えば振動させた圧電素子を用いればよい。
【００２５】
制御部８は、角速度センサ６において角速度が検出されない場合、または検出に基づいて出力された信号が所定の値よりも小さな場合、記憶部１０に格納されているデータからチャンネル１を読み出すように設定する。一方、角速度センサ６から出力された信号が所定の値よりも大きな場合、記憶部１０に格納されているデータからチャンネル２を読み出すように設定する。このようにして、チャンネルが特定される。
【００２６】
そして、操作ボタン７が押されると、記憶部１０に格納されているデータから特定したチャンネルおよび照明器具の動作内容を示す制御信号を読み出し、それを送信部９へ出力する。このとき、特定されているチャンネルがチャンネル２の場合、送信部９への出力が完了すると、チャンネル１を読み出すように設定する。すなわち、チャンネルの設定をチャンネル１に変更する。
【００２７】
次に、本実施形態の照明用リモコン送信器の動作について説明する。なお、ここでは、ユーザがチャンネル２に対応する照明器具の動作を制御する場合とする。
【００２８】
例えば、ユーザが手首をひねってリモコン送信器に回転を与えたときに、角速度センサ６から出力される信号が所定の値よりも大きな場合、制御部８で設定されるチャンネルは、チャンネル２になる。
【００２９】
続いて、ユーザが操作ボタン７を押すと、チャンネル２および照明器具の動作内容を示す制御信号を制御部８から送信部９へ出力する。送信部９への出力が完了すると、制御部８で設定されるチャンネルは、チャンネル１に変更される。
【００３０】
なお、ユーザがチャンネル１に対応する照明器具の動作を制御する場合、回転を与えずに操作ボタン７を押せばよい。すなわち、加速度センサ６に回転を検知されない、または角速度の検出に基づいて出力される信号が所定の値よりも小さくなるように操作ボタン７を押せばよい。
【００３１】
また、角速度センサの代わりに加速度センサを用いることとしてもよい。加速度に応じた信号を出力するためには、例えば、加速度が加えられたときの抵抗または静電容量の変化量に基づいた電圧を検出すればよい。
【００３２】
加速度センサを用いる場合、加えられた加速度に基づいて検出される信号が所定の値よりも大きな場合、記憶部１０のデータから読み出すチャンネルをチャンネル２に設定し、加速度が検出されない場合、または検出される信号が所定の値よりも小さな場合、チャンネル１に設定する。また、チャンネル２が設定された場合、角速度センサ６を用いる場合と同様に、送信部９への制御信号の出力が完了するとチャンネルの設定をチャンネル１へ変更する。
【００３３】
本実施形態の照明用リモコン送信器は、上述したように、チャンネル１、チャンネル２という異なる２つのチャンネルおよび照明器具の動作内容を示すデータが予め記憶されており、角速度または加速度に基づいて検出された信号が所定の値よりも大きな場合、データから読み出すチャンネルをチャンネル２に決定する。そして、操作ボタンが押されると、チャンネル２および照明器具の動作内容を示す制御信号をデータから読み込んで発信する。また、制御信号の出力が完了すると、データから読み出すチャンネルをチャンネル１に変更する。
【００３４】
角速度や加速度を検知させることによってデータから読み出すチャンネルを特定するため、スライド操作を必要とするスイッチを用いずにチャンネルの切り替えを行うことが可能となる。ユーザは、リモコン送信器を回したり振ったりしてチャンネルの設定をチャンネル１からチャンネル２へ変更することで、異なる２つのチャンネルに設定された照明器具をそれぞれ制御することが可能となる。
【００３５】
なお、検出内容から回転の向きを特定することができる角速度センサを用いると、例えば、データから読み出すチャンネルを右回り（時計回り）の回転を検知するとチャンネル１、左回り（反時計回り）の回転を検知するとチャンネル２というように設定することが可能となる。この場合、一度チャンネルが設定されると、そのチャンネルは維持されるものとする。
【００３６】
このため、例えば、チャンネル１からチャンネル２へ切り替えるためには、ユーザはリモコン送信器を左に回転させればよい。反対にチャンネル２からチャンネル１に切り替えるためには、右に回転させればよい。
【００３７】
また、上述したリモコン送信器は、照明器具だけに限らず、テレビやビデオデッキなどを含むＡＶ（Ａｕｄｉｏ  Ｖｉｓｕａｌ）機器の操作に用いることとしてもよい。この場合、角速度や加速度の検出内容に基づいて、例えば、テレビからビデオデッキへ制御する機器を切り替えることが可能となる。
【００３８】
また、設定されるチャンネルは２つに限定されるものでなく、３個以上であってもよい。この場合、例えば、角速度または加速度を検出した回数に基づいてチャンネルを設定すればよい。
【図面の簡単な説明】
【００３９】
【図１】本実施形態の照明用リモコン送信器の一構成例を示すブロック図である。
【図２】従来の照明用リモコン送信器の一構成例を示すブロック図である。
【符号の説明】
【００４０】
１        チャンネル切り替えスイッチ
２、７    操作ボタン
３、８    制御部
４、９    送信部
５、１０  記憶部
【図１】
2008078999.tif 000003
【図２】
2008078999.tif 000004